(57)【特許請求の範囲】
【請求項１】
通信回線を介してサーバーから提供される画像データを取得可能であるとともに画像データをテレビジョン受信機へ送信可能な親機と、その親機と必要に応じて無線で接続される子機とから構成される通信装置であって、
前記子機が、表示器と、前記親機に対して前記サーバーからデータを取得し送付することを要求するためのデータ要求手段と、取得した画像データを前記テレビジョン受信機又は前記表示器の何れで表示するかを選択する選択手段とを備え、
前記親機が、前記子機側のデータ要求手段の要求に基づき取得した画像データをテレビジョン受信機へ転送するための送信手段を備え、
前記送信手段は、前記選択手段により選択された前記テレビジョン受信機又は表示器の何れか一方に取得した画像データを送信し、
前記親機が、前記表示器に前記画像データを送信する場合は、前記サーバーから提供された画像データからテキストベースの画像データを抽出することで、前記子機の表示器でテキストベースの画像を表示し、前記親機が、前記テレビジョン受信機に画像データを送信する場合は、サーバーから提供された画像データに基づき画像データを作成することで、前記テレビジョン受信機で画像を表示することを特徴とする通信装置。
【請求項２】
前記親機が、取得したデータをテレビジョン信号に変換するための信号変換手段を備えることを特徴とする請求項１の通信装置。
【請求項３】
前記子機が、取得したデータをテレビジョン信号に変換するための信号変換手段を備えることを特徴とする請求項１の通信装置。
【請求項４】
電子メールを受信したことを記憶するためのメール受信記憶手段と、
テレビジョン受信機にて電子メールの受信を表示させるためのメール受信表示手段とを備えることを特徴とする請求項１の通信装置。
【請求項５】
テレビジョン受信機との間で双方向通信の可能な通信手段と、
電子メールを受信したことを記憶するためのメール受信記憶手段と、
前記メール受信記憶手段での受信記憶に基づき、テレビジョン受信機にて電子メールの受信を表示させる指示を送るメール表示指示手段と、
テレビジョン受信機からのメール受信の指示を受け取った旨の通知を受けたか否かを判断する受信通知判断手段と、
前記受信通知判断手段により、テレビジョン受信機がらのメール受信の指示を受け取った旨の通知を受けるまで、メール表示指示手段によりテレビジョン受信機にて電子メールの受信を表示させる指示を繰り返し送出するメール表示再指示手段とを備えることを特徴とする請求項１の通信装置。
【請求項６】
電子メールを受信したことを記憶するためのメール受信記憶手段と、
電子メールを受信した際に、前記テレビジョン受信機が画像表示中か否かを判断する判断手段と、
前記判断手段により画像表示中と判断された際に、前記メール受信記憶手段での受信記憶に基づき、テレビジョン受信機にて電子メールの受信を表示させるメール受信表示手段とを備えることを特徴とする請求項１の通信装置。
【請求項７】
請求項１〜６のいずれか１項に記載の通信装置における前記各手段としてコンピュータシステムを機能させるためのプログラム。
【請求項８】
請求項１〜６のいずれか１項に記載の通信装置における前記各手段としてコンピュータシステムを機能させるためのプログラムが記録されたコンピュータで読み取り可能な記録媒体。
【請求項９】
前記親機が、サーバーから提供される画像データ基づく画像を表示する表示器を備えることを特徴とする請求項１の通信装置。
【発明の詳細な説明】
【０００１】
【発明の属する技術分野】
本発明は通信装置、プログラム、記録媒体に係り、詳しくは、電話機やファクシミリなどの通信装置と、その通信装置を実現するようにコンピュータシステムを機能させるためのプログラム、そのプログラムが記録されたコンピュータで読み取り可能な記録媒体に関するものである。
【０００２】
【従来の技術】
近年、ＮＴＴより「Ｌモード」と呼ばれる情報サービスが提供されている。このＬモードは、Ｌモード対応の通信機器（電話機やファクシミリなど）から、メニュー操作により、電話感覚で文字や簡易な画像を中心とした情報検索や電子メールの送受信などが利用できるサービスである。
尚、Ｌモードにおける情報検索や電子メールの送受信は、ＮＴＴ社が設置しているＬモードゲートウェイを経由して行われる。
【０００３】
【発明が解決しようとする課題】
しかしながら、Ｌモードでの情報検索は、Ｌモード対応の通信機器（電話機やファクシミリ）のボタンを操作して行うことになる。電話機、ファクシミリは、電話番号の入力のみしか従来行われていなかったため、各家庭でボタン操作が行い易い場所を選んで配置されておらず、配置場所によっては操作性が非常に悪くなる。また、電話機やファクシミリに取り付けられている表示器は小さく、情報検索の表示画面は見づらく、更に、カラー表示するためには、高価なカラー液晶を用意しなければならないという問題点もある。
【０００４】
一方、電子メールを着信した場合、Ｌモード電話機、ファクシミリは、表示器に電子メール着信を知らせるメール受信ピクトグラムを表示する。しかし、この表示を、利用者は、電話をかけるか、ファクシミリを送る等の用事が特にない限り見る機会がなく、電子メールの着信の通知が遅れたり、全く通知できなかったりするとの問題がある。
【０００５】
本発明は上記問題点を解決するためになされたものであって、以下の目的を有するものである。
(1)親機、子機からなる通信装置で、サーバーから取得した情報を快適に閲覧することが可能な通信装置を提供する。
(2)電子メールの着信を確実に知らしめることができる通信装置を提供する。
(3)上記(1),(2)の通信装置を実現するようにコンピュータシステムを機能させるためのプログラムを提供する。
(4)上記(1),(2)の通信装置を実現するようにコンピュータシステムを機能させるためのプログラムが記録されたコンピュータで読み取り可能な記録媒体を提供する。
【０００６】
【課題を解決するための手段および発明の効果】
係る目的を達成するためになされた請求項１に記載の通信装置は、通信回線を介してサーバーから提供される画像データを取得可能であるとともに画像データをテレビジョン受信機へ送信可能な親機と、その親機と必要に応じて無線で接続される子機とから構成される通信装置であって、前記子機が、表示器と、前記親機に対して前記サーバーからデータを取得し送付することを要求するためのデータ要求手段と、取得した画像データを前記テレビジョン受信機又は前記表示器の何れで表示するかを選択する選択手段とを備え、前記親機が、前記子機側のデータ要求手段の要求に基づき取得した画像データをテレビジョン受信機へ転送するための送信手段を備え、前記送信手段は、前記選択手段により選択された前記テレビジョン受信機又は表示器の何れか一方に取得した画像データを送信し、前記親機が、前記表示器に前記画像データを送信する場合は、前記サーバーから提供された画像データからテキストベースの画像データを抽出することで、前記子機の表示器でテキストベースの画像を表示し、前記親機が、前記テレビジョン受信機に画像データを送信する場合は、サーバーから提供された画像データに基づき画像データを作成することで、前記テレビジョン受信機で画像を表示することを技術的特徴とする。
【０００７】
請求項１の通信装置では、子機が、親機に対してサーバーからデータを取得し送付することを要求し、親機が、子機側の要求に基づき取得したデータを直接又は子機経由でテレビジョン受信機へ転送する。子機でテレビジョン受信機を遠隔操作ができるので、好きな場所で子機を操作することが可能となり、配置場所の良くない親機で操作するのと比べて情報検索の操作が行い易くなる。また、親機を介してサーバーから取得した情報をテレビジョン受信機で表示するため、大画面、カラーで快適に検索情報を閲覧することが可能になり、子機の小さな表示器で画像を表示する際には、テキストベースの画像に限定することで、表示を見易くし、また、データの転送時間が短くなる。
【０００８】
請求項２の通信装置では、親機が、取得したデータをテレビジョン信号に変換するための信号変換手段を備えるため、汎用のテレビジョン受信機で、子機の遠隔操作により検索情報を表示させることができる。
【０００９】
請求項３の通信装置では、子機が、取得したデータをテレビジョン信号に変換するための信号変換手段を備えるため、汎用のテレビジョン受信機で、子機の遠隔操作により検索情報を表示させることができる。
【００１０】
請求項４の通信装置は、電子メールを受信可能な通信装置であって、電子メールを受信したことを記憶するためのメール受信記憶手段と、テレビジョン受信機にて電子メールの受信を表示させるためのメール受信表示手段とを備えることを技術的特徴とする。
【００１１】
請求項４の通信装置では、通信装置側で電子メールを受信したことを記憶し、テレビジョン受信機にて電子メールの受信を表示させる。通信装置まで電子メールの着信の有無を確認に行かせる必要がなくなり、テレビジョン受信機を用いて電子メールの着信を確実に知らせることができる。
【００１２】
請求項５の通信装置は、電子メールを受信可能な通信装置であって、テレビジョン受信機との間で双方向通信の可能な通信手段と、電子メールを受信したことを記憶するためのメール受信記憶手段と、前記メール受信記憶手段での受信記憶に基づき、テレビジョン受信機にて電子メールの受信を表示させる指示を送るメール表示指示手段と、テレビジョン受信機からのメール受信の指示を受け取った旨の通知を受けたか否かを判断する受信通知判断手段と、前記受信通知判断手段により、テレビジョン受信機がらのメール受信の指示を受け取った旨の通知を受けるまで、メール表示指示手段によりテレビジョン受信機にて電子メールの受信を表示させる指示を繰り返し送出するメール表示再指示手段とを備えることを技術的特徴とする。
【００１３】
請求項５の通信装置では、通信装置側で、電子メールを受信したことを記憶し、テレビジョン受信機にて電子メールの受信を表示させる指示を送る。そして、テレビジョン受信機がらのメール受信の指示を受け取った旨の通知を受けるまで、テレビジョン受信機にて電子メールの受信を表示させる指示を繰り返し送出する。通信装置まで電子メールの着信の有無を確認に行かせる必要がなくなり、また、テレビジョン受信機を用いて電子メールの着信を確実に知らせることができる。
【００１４】
請求項６の通信装置は、電子メールを受信可能な通信装置であって、電子メールを受信したことを記憶するためのメール受信記憶手段と、電子メールを受信した際に、前記テレビジョン受信機が画像表示中か否かを判断する判断手段と、前記判断手段により画像表示中と判断された際に、前記メール受信記憶手段での受信記憶に基づき、テレビジョン受信機にて電子メールの受信を表示させるメール受信表示手段とを備えることを技術的特徴とする。
【００１５】
請求項６の通信装置では、通信装置側で、電子メールを受信したことを記憶し、電子メールを受信した際に、テレビジョン受信機が画像表示中か否かを判断し、画像表示中と判断された際に、テレビジョン受信機にて電子メールの受信を表示させる。このため、通信装置−テレビジョン受信機間で双方向通信が行えなくとも、通信装置側でテレビジョン受信機が画像表示中かを検出できれば、テレビジョン受信機を用いて電子メールの着信を確実に知らせることができる。
【００１６】
次に、請求項７に記載のプログラムは、請求項１〜６のいずれか１項に記載の通信装置における前記各手段としてコンピュータシステムを機能させるためのプログラムを提供するものである。
つまり、請求項１〜６のいずれか１項に記載の通信装置における前記各手段を実現するための機能は、コンピュータシステムで実行されるプログラムとして備えることができる。
【００１７】
次に、請求項８に記載の発明は、請求項１〜６のいずれか１項に記載の通信装置における前記各手段としてコンピュータシステムを機能させるためのプログラムが記録されたコンピュータで読み取り可能な記録媒体を提供するものである。このようなプログラムの場合、例えば、ＲＯＭやバックアップＲＡＭをコンピュータで読み取り可能な記録媒体として前記プログラムを記録しておき、このＲＯＭあるいはバックアップＲＡＭをコンピュータシステムに組み込んで用いることができる。
この他、半導体メモリ（スマートメディア，メモリスティックなど），ハードディスク，フロッピーディスク，データカード（ＩＣカード，磁気カードなど），光ディスク（ＣＤ−ＲＯＭ，ＣＤ−Ｒ，ＣＤ−ＲＷ，ＤＶＤなど），光磁気ディスク（ＭＯなど），相変化ディスク，磁気テープなどのコンピュータで読み取り可能な記録媒体に前記プログラムを記録しておき、そのプログラムを必要に応じてコンピュータシステムにロードして起動することにより用いてもよい。
【００１８】
【発明の実施の形態】
［第１実施形態］
以下、本発明に係る第１実施形態について図面を参照して説明する。
図１は、ＮＴＴ社が提供するＬモードにおける通信システム１０の概略構成を示すブロック図である。
Ｌモードにおける通信システム１０は、Ｌモード対応の各種通信機器１１、インターネット網１２、インターネット網１２に接続された各種通信機器１３、情報提供者の通信機器１４、公衆電話回線１５、Ｌモードゲートウェイ１６などから構成されている。
【００１９】
Ｌモード対応の各種通信機器１１には、例えば、Ｌモード対応の電話機やファクシミリ、ＩＣカード公衆電話機などがある。
ＷＷＷサーバ（図示略）を介してインターネット網１２に接続された各種通信機器１３には、例えば、パーソナルコンピュータや携帯電話機などがある。
通信機器１４を用いて各種情報（日々の生活に役立つ情報、地域に密着した情報）を提供する情報提供者（例えば、天気予報提供者（日本気象協会など）、銀行、証券会社、新聞社、販売店など）は、ＮＴＴ社が提供するＬメニューリストに登録されている。
【００２０】
各通信機器１１，１３，１４およびインターネット網１２は、公衆電話回線１５を介して、ＮＴＴ社が設置しているＬモードゲートウェイ１６（ＧＷ）に接続されている。
そして、Ｌモード対応の各種通信機器１１は、第１経路（公衆電話回線１５→Ｌモードゲートウェイ１６→公衆電話回線１５）または第２経路（公衆電話回線１５→Ｌモードゲートウェイ１６→公衆電話回線１５→インターネット網１２→公衆電話回線１５）を通じて情報提供者の通信機器１４と各種情報および電子メールを送受信することができる。
また、Ｌモード対応の各種通信機器１１は、インターネット網１２に接続された各種通信機器１３と前記第２経路を通じて各種情報および電子メールを送受信することができる。
尚、Ｌモードゲートウェイ１６は、実際には、ＮＴＴ西日本社とＮＴＴ東日本社にそれぞれ１つずつ設けられて互いに接続されている。
【００２１】
図２は、Ｌモード対応の各種通信機器１１の一例であるＬモード対応ファクシミリの本体２０の外観を示す平面図である。
Ｌモード対応ファクシミリの本体２０には、表示器２１および多数のボタン（キー）類２２が配設されており、ハンドセット（図示略）が接続されると共に、本体２０を親機とするコードレスホンの後述する子機（図４参照）が別体に設けられている。
表示器２１は、例えば、液晶ディスプレイやプラズマディスプレイなどから構成されている。表示器２１には、Ｌモードゲートウェイ１６と本体２０との回線が接続中であることを示すピクトグラム、回線接続が切断されたことを示すメッセージ文（例えば「切断されました」など）、予め設定された待ち受け画面などが表示される。
【００２２】
ボタン類２２を構成する各ボタンには、ダイヤルボタンを構成するテンキー、各種操作（例えば、留守番電話の設定・解除、スピーカー再生、保留または子機への切替など）を行うための各種機能ボタン、電子メールに関する操作を行う際に用いられるＥメールボタン２２ａ、Ｌモードに関する操作を行う際に用いられるＬボタン２２ｂ、表示器２１に表示されるカーソル（図示略）を上下左右に移動させるカーソル移動ボタン（スクロールボタン）２２ｃなどがある。
【００２３】
図３は、Ｌモード対応ファクシミリの本体２０の電気的構成を示すブロック回路図である。
Ｌモード対応ファクシミリの本体２０には、表示器２１、ボタン類２２、パネルＧＡ（Gate Array）４１、モータ４２、サーマルヘッド４３、スキャナ４４、センサ類４５、ＡＦＥ（Analog Front End）４６、メロディＩＣ（Integrated Circuit）４７、スピーカ４８、ＲＴＣ（Real Time Clock）４９、ＲＯＭ５０、ＲＡＭ５１、ＥＥＰＲＯＭ５２、子機用高周波（ＲＦ：Radio Frequency）ユニット５３、クロスポイントスイッチ５４、ハンドセット５５、ＮＣＵ５６、ＣＰＵ５７、記録回路５８、読取回路５９、ＦＡＸ・データモデム６０などが備えられている。
【００２４】
ＣＰＵ５７は、親機としての本体２０および子機を含めたＬモード対応ファクシミリ全体の動作を制御する。ＣＰＵ５７には、記録回路５８、読取回路５９、パネルＧＡ４１、ＦＡＸ・データモデム６０、ＡＦＥ４６、ＲＴＣ４９、ＲＯＭ５０、ＲＡＭ５１、ＥＥＰＲＯＭ５２、子機用ＲＦユニット５３が接続されている。
尚、ＣＰＵ５７，記録回路５８，読取回路５９，ＦＡＸ・データモデム６０は１チップＩＣ６１によって構成され、その１チップＩＣ６１は１チップＦＡＸエンジンと呼ばれる。
【００２５】
記録回路５８は、ＣＰＵ５７の制御処理に従い、プリンタを構成するモータ４２およびサーマルヘッド４３の動作を制御する。モータ４２は、Ｌモード対応ファクシミリの本体２０に印刷用紙を供給排出するために移動させる。サーマルヘッド４３は、感熱紙からなる印刷用紙に印刷を行う。尚、サーマルヘッド４３に代えて、インクジェットヘッドであっても良いしレーザーエンジンを使用しても良い。
読取回路５９は、ＣＰＵ５７の制御に従い、スキャナ４４の動作を制御する。スキャナ４４は、原稿に印刷されている文字や画像を読み取り、その文字や画像のデータを読取回路５９へ出力する。
センサ類４５は、印刷用紙がセットされていることを検出する印刷用紙検出センサ、ハンドセット５５がセットされていることを検出するハンドセット検出センサなど、本体２０に備えられた各種センサから構成されている。
パネルＧＡ４１は、ボタン類２２および表示器２１とＣＰＵ５７との間でデータ信号の仲介を行うためのインタフェースとして機能する。
【００２６】
ＦＡＸ・データモデム６０は、ファクシミリの送受信データの変復調を行うと共に、Ｌモードにおける各種情報および電子メールの送受信データの変復調を行う。ＡＦＥ４６は、メロディＩＣ４７およびクロスポイントスイッチ５４とＣＰＵ５７およびＦＡＸ・データモデム６０との間でデータ信号のサンプリングおよび変換を行う。
メロディＩＣ４７は、ＣＰＵ５７の制御処理に従い、電話の着信音メロディを生成し、スピーカ４８を駆動して当該着信音メロディを発音させる。
【００２７】
ＲＴＣ４９は、現在の時刻および年月日を計測し、それらのデータをＣＰＵ５７へ出力する。
ＲＯＭ５０は、ＣＰＵ５７が各種制御を実行するための各種制御プログラム及び非推奨アドレスを記憶している。ここで、非推奨アドレスとは、第３者が容易に思い付くような電子メールアドレスで、NAOMI,YUMIKO等の典型的な女性の名前やJIMI.HEN等の著名人の氏名、略称、SUZUKITARO等の電話帳で多く見受けられる氏名等からなるデータである。
ＲＡＭ５１は、ＣＰＵ５７の作業領域や各種データの展開領域を提供する。ＥＥＰＲＯＭ５２は、電話やファクシミリの送信先の電話番号、電子メールの送信先やインターネット網１２に接続された各種通信機器１３，１４のＵＲＬ（Uniform Resource Locator）などを記憶している。
【００２８】
子機用ＲＦユニット５３は、コードレスホンの子機と親機である本体２０とを無線回線を通じて接続するために、ＣＰＵ５７と子機との間でデータ信号を無線で送受信する。
クロスポイントスイッチ５４は、子機用ＲＦユニット５３、ＮＣＵ５６、電話の送受話器からなるハンドセット５５、ＡＦＥ４６のそれぞれの間で転送されるデータ信号を切り替えて仲介する。
ＮＣＵ５６は、公衆電話回線１５に接続されて網制御を行い、公衆電話回線１５に対するダイヤル信号を送り出すと共に、公衆電話回線１５からの呼出信号に対する応答などを行う。
【００２９】
図４は、ファクシミリの子機１２０の外観を示している。該子機１２０には、小型の液晶からなる表示器１２１とボタン類１２２とが備えられている。図５は、子機１２０の電気的構成を示すブロック図である。該子機１２０には、表示器１２１、ボタン類１２２、パネルＧＡ（Gate Array）１４１、スピーカ１７２、マイクロホン１７４、ＣＰＵ１５７，、ＲＯＭ１５０、ＲＡＭ１５１、ＥＥＰＲＯＭ１５２、親機２０及びテレビジョン受信機２１０との通信を行うＲＦユニット１５３などが備えられている。
【００３０】
図６は、第１実施形態に係るファクシミリ装置本体（親機）２０と子機１２０とテレビジョン受信機２１０との接続関係を説明するための図である。第１実施形態では、ファクシミリ装置本体（親機）２０、子機１２０、テレビジョン受信機２１０は屋内に設けられ、ファクシミリ装置本体（親機）２０と子機１２０及びテレビジョン受信機２１０とは別の部屋に配置されている。例えば、ファクシミリ装置本体２０は、玄関下駄箱の上に置かれ、テレビジョン受信機２１０は、居間に配置されている。親機２０と子機１２０との間は、無線により双方向通信が行い得るように構成されている。また、テレビジョン受信機１２０には、通信制御装置２１２が備えらえており、子機１２０のＲＦユニット１５３を介して双方向通信が行い得るように構成されている。
【００３１】
ファクシミリ装置本体（親機）２０は、公衆電話回線１５及び図示しない交換機を介してＬモードゲートウェイ１６に接続され、Ｌモード上での情報検索が可能なようになっている。そして、子機１２０は、親機２０と無線接続され、Ｌモード上での情報の取得を指令し、親機２０は、Ｌモードゲートウェイ１６（サーバー）から取得した画像データを子機１２０へ送信する。このため、子機１２０での情報検索及び情報表示が可能となる。更に、子機１２０は、親機２０から送られたＬモードゲートウェイ１６の画像データをテレビジョン受信機２１０へ転送し、該テレビジョン受信機で情報を表示し得るように構成されている。
【００３２】
第１実施形態では、子機１２０でテレビジョン受信機２１０での表示画像を遠隔操作ができるので、好きな場所で子機１２０を操作することが可能となり、配置場所の良くない親機で操作するのと比べて情報検索の操作が行い易くなる。上述した例では、玄関の下駄箱の上のファクシミリ装置本体２０を操作しなくても、居間にいて子機１２０を操作することで、テレビジョン受信機２１０に所望の検索情報を表示させることができる。また、親機２０を介してＬモードゲートウェイ１６（サーバー）から取得した情報をテレビジョン受信機２１０で表示するため、大画面、カラーで快適に検索情報を閲覧することが可能になる。
【００３３】
［親機２０のＣＰＵ５７が実行する主な制御処理］
図７〜図１０は、第１実施形態においてファクシミリ装置本体（親機）２０のＣＰＵ５７が実行する主な制御処理の流れを示すフローチャートである。
ＣＰＵ５７は、ＲＯＭ５０に記録（記憶）されているプログラムに従い、コンピュータによる各種演算処理によって、以下の各ステップ（以下、「Ｓ」と記載する）の処理を実行する。
尚、前記プログラムをコンピュータで読み取り可能な記録媒体（半導体メモリ（メモリスティックなど）、ハードディスク、フロッピーディスク、データカード（ＩＣカード，磁気カードなど）、光ディスク（ＣＤ−ＲＯＭ，ＣＤ−Ｒ，ＣＤ−ＲＷ，ＤＶＤなど）、光磁気ディスク（ＭＯなど）、相変化ディスク、磁気テープなど）を備えた外部記録装置（外部記憶装置）に記録（記憶）しておき、当該プログラムを必要に応じて外部記録装置からＣＰＵ５７にロードして起動することにより用いるようにしてもよい。
【００３４】
ＣＰＵ５７は、まず、Ｌモードゲートウェイ１６との通信を開始するキー（Ｌボタン）２２ｂが操作されたか否かを判断し（Ｓ１２）、Ｌボタン２２ｂが操作された際には（Ｓ１２：Ｙｅｓ）、親機２０でのＬモードゲートウェイ１６との通信、即ち、簡易型のインターネット検索を行うための親機用ＧＷ通信処理を行う（Ｓ１００）。一方、Ｌボタン２２ｂが操作されない限り（Ｓ１２：Ｎｏ）、子機１２０が操作され子機側からからＬモードゲートウェイ通信を開始させるＧＷ通信開始子機コマンドが送信されたか否かを判断する（Ｓ１４）。ここで、ＧＷ通信開始子機コマンドを受信すると（Ｓ１４：Ｙｅｓ）、子機側で検索画像を表示するか、テレビジョン受信機側で検索画像を表示するかを選択するための子機経由ＴＶ閲覧フラグが設定されているか否かを判断する（Ｓ１６）。子機側での検索画像表示が選択されており、子機経由ＴＶ閲覧フラグが設定されていない場合には（Ｓ１６：Ｎｏ）、子機１２０で検索画像を表示するための子機用ＧＷ通信処理を行う（Ｓ２００）。テレビジョン受信機側での検索画像表示が選択されており、子機経由ＴＶ閲覧フラグが設定されている場合には（Ｓ１６：Ｙｅｓ）、テレビジョン受信機２１０で検索画像を表示するための子機経由ＴＶ用ＧＷ通信処理を行う（Ｓ３００）。そして、ＧＷ通信開始子機コマンドを受信しない限り（Ｓ１４：Ｎｏ）、処理を終了する。
【００３５】
引き続き、図７の上記Ｓ１００での親機用ＧＷ通信処理について、当該サブルーチンを示す図８を参照して説明する。
先ず、コマンドに対応する画像データを取得を完了したか否かを判断する（Ｓ１１０）。画像データを取得を完了すると（Ｓ１１０：Ｙｅｓ）、画像データを構成するＨＴＭＬファイルを解釈し、新しい画像データを作成し、表示器２１（図２参照）に表示する（Ｓ１１２）。そして、キー入力されるまで待機する（Ｓ１１４）。キー入力があれば（Ｓ１１４：Ｙｅｓ）、入力されたキーをコマンドへ変換し（Ｓ１１６）、コマンドがＬモードゲートウェイ１６（ＧＷ）に送付するものか否かを判断する（Ｓ１１８）。ここで、コマンドがＧＷへ送付するものであれば（Ｓ１１８：Ｙｅｓ）、入力されたキーをコマンドへ変換してＧＷへ送信する（Ｓ１２０）。
【００３６】
一方、コマンドがＧＷへ送付するものでなければ（Ｓ１１８：Ｎｏ）、コマンドは、Ｌモードゲートウェイ通信（ＧＷ通信）の終了、即ち、簡易型のインターネット検索の終了を指示するものか否かを判断する（Ｓ１３０）。ここで、ＧＷ通信の終了を指示するものでない場合には（Ｓ１３０：Ｎｏ）、入力されたキーをコマンドへ変換し、コマンドに応じた画像データを作成し、表示器２１に表示し（Ｓ１３２）、コマンドに応じた処理を行う（Ｓ１３４）。そして、Ｓ１１０に戻り処理を続ける。一方、ＧＷ通信の終了が指示された場合には（Ｓ１３０：Ｙｅｓ）、Ｌモードゲートウェイ１６との回線を閉じる等のＧＷ通信終了の処理を行った後（Ｓ１４０）、表示器２１の画像表示を待機表示に更新してから（Ｓ１４２）、全ての処理を終了する。
【００３７】
引き続き、図７の上記Ｓ２００での子機用ＧＷ通信処理について、当該サブルーチンを示す図９を参照して説明する。
先ず、コマンドに対応する画像データを取得を完了したか否かを判断する（Ｓ２１０）。画像データの取得を完了すると（Ｓ２１０：Ｙｅｓ）、画像データを構成するＨＴＭＬファイルを解釈し、テキストデータのみを抽出し、テキストベースの子機１２０での表示用の新画像データを作成し（Ｓ２１２）、作成した新画像データを子機１２０へ送信する（Ｓ２１３）。これにより、後述するように子機側でテキストベースの画像が表示器１２１（図４参照）にて表示される。即ち、子機１２０の小さな表示器１２１で画像を表示する際には、テキストベースの画像に限定することで、表示を見易くし、また、データの転送時間を短くする。
【００３８】
そして、子機１２０のキー入力に対応するコマンドを受信するまで待機する（Ｓ２１４）。コマンドが受信されれば（Ｓ２１４：Ｙｅｓ）、コマンドはＬモードゲートウェイ（ＧＷ）に送付するものか否かを判断する（Ｓ２１８）。ここで、コマンドがＧＷへ送付するものであれば（Ｓ２１８：Ｙｅｓ）、入力されたコマンドをＧＷへ送信する（Ｓ２２０）。
【００３９】
一方、コマンドがＧＷへ送付するものでなければ（Ｓ２１８：Ｎｏ）、コマンドは、ＧＷ通信の終了、即ち、簡易型のインターネット検索の終了を指示するものか否かを判断する（Ｓ２３０）。ここで、ＧＷ通信の終了を指示するものでない場合には（Ｓ２３０：Ｎｏ）、コマンドに応じた画像データを作成し、子機側へ送信し（Ｓ２３２）、コマンドに応じた処理を行う（Ｓ２３４）。そして、Ｓ２１０に戻り処理を続ける。
【００４０】
一方、ＧＷ通信の終了が指示された場合には（Ｓ２３０：Ｙｅｓ）、Ｌモードゲートウェイ１６との回線を閉じる等のＧＷ通信終了の処理を行った後（Ｓ２４０）、子機１２０の表示器１２１での画像表示を待機状態表示にするコマンドを子機へ送信してから（Ｓ２４２）、全ての処理を終了する。
【００４１】
引き続き、図７の上記Ｓ３００での子機１２０経由ＴＶＧＷ通信処理について、当該サブルーチンを示す図１０を参照して説明する。
先ず、コマンドに対応する画像データを取得を完了したか否かを判断する（Ｓ３１０）。画像データの取得を完了すると（Ｓ３１０：Ｙｅｓ）、画像データを構成するＨＴＭＬファイルを解釈し、新画像データを作成し（Ｓ３１２）、作成した新画像データを子機へ送信する（Ｓ３１３）。
【００４２】
そして、子機１２０のキー入力に対応するコマンドを受信するまで待機する（Ｓ３１４）。コマンドが受信されれば（Ｓ３１４：Ｙｅｓ）、受信コマンドを対ＧＷ通信処理用のコマンドへ変換してから（Ｓ３１６）、コマンドはＬモードゲートウェイ（ＧＷ）に送付するものか否かを判断する（Ｓ３１８）。ここで、コマンドがＧＷへ送付するものであれば（Ｓ３１８：Ｙｅｓ）、入力されたコマンドをＧＷへ送信する（Ｓ３２０）。
【００４３】
一方、コマンドがＧＷへ送付するものでなければ（Ｓ３１８：Ｎｏ）、コマンドは、ＧＷ通信の終了、即ち、簡易型のインターネット検索の終了を指示するものか否かを判断する（Ｓ３３０）。ここで、ＧＷ通信の終了を指示するものでない場合には（Ｓ３３０：Ｎｏ）、コマンドに応じた画像データを作成し、子機側へ送信し（Ｓ３３２）、コマンドに応じた処理を行う（Ｓ３３４）。そして、Ｓ３１０に戻り処理を続ける。
【００４４】
一方、ＧＷ通信の終了が指示された場合には（Ｓ３３０：Ｙｅｓ）、Ｌモードゲートウェイ１６との回線を閉じる等のＧＷ通信終了の処理を行った後（Ｓ３４０）、子機１２０の表示器１２１での画像表示を待機状態表示にするコマンドを子機１２０へ送信してから（Ｓ３４２）、全ての処理を終了する。
【００４５】
［子機１２０のＣＰＵ５７が実行する主な制御処理］
図１１は、第１実施形態においてファクシミリ装置（子機）１２０のＣＰＵ１５７が実行する主な制御処理の流れを示すフローチャートである。
ＣＰＵ１５７は、ＲＯＭ１５０に記録（記憶）されているプログラムに従い、コンピュータによる各種演算処理によって、以下の各ステップの処理を実行する。
【００４６】
ＣＰＵ１５７は、キー入力されるまで待機している（Ｓ４１２）。ここで、キー入力があると（Ｓ４１２：Ｙｅｓ）、Ｌモードゲートウェイ通信（ＧＷ通信）を開始するためのキー、即ち、簡易型のインターネット検索を行うためのキーが入力されたか否かを判断し（Ｓ４１４）、開始キーでない場合には（Ｓ４１４：Ｎｏ）、Ｌモードゲートウェイ通信以外のキーで入力された処理を行う（Ｓ４２０）。
【００４７】
他方、開始キーが操作された場合には（Ｓ４１４：Ｙｅｓ）、引き続き操作されたキーが、ＴＶにて表示を行わしめるためのＴＶモードＧＷ通信開始キーか否かを判断する（Ｓ４１６）。ＴＶにて表示を行わしめるためのＴＶモードＧＷ通信開始キーが操作された場合には（Ｓ４１６：Ｙｅｓ）、テレビジョン受信機側での表示を設定するの子機１２０経由ＴＶ閲覧フラグを設定する（Ｓ４２２）。他方、ＴＶモードＧＷ通信開始キーが操作されない場合には（Ｓ４１６：Ｎｏ）、テレビジョン受信機側での表示を設定するの子機１２０経由ＴＶ閲覧フラグをリセットする（Ｓ４２４）。
【００４８】
引き続き、親機２０へＬモードゲートウェイ通信を開始するコマンドを送信する（Ｓ４３０）。これに対応して、親機側から上述したように、画像データを構成するＨＴＭＬファイルを解釈し、新画像データを作成して送って来た際には（親機からテキストベースのデータ受信のＳ４３２：Ｙｅｓ）、子機１２０経由ＴＶ閲覧フラグが設定されているか否かを判断し（Ｓ４３４）、子機１２０経由ＴＶ閲覧フラグが設定されている際には（Ｓ４３４：Ｙｅｓ）、受信した画像データを転送し、テレビジョン受信機側で新画像を表示させる（Ｓ４３６）。他方、子機１２０経由ＴＶ閲覧フラグが設定されていない場合には（Ｓ４３４：Ｎｏ）、親機２０から受信したテキストベースのデータに基づく画像を図４に示す表示器１２１に表示する（Ｓ４３８）。
【００４９】
一方、親機２０からテキストベースのデータが送られないときは（Ｓ４３２：Ｎｏ）、親機からのコマンドの受信か否かを判断し（Ｓ４４０）、コマンドが受信された際には（Ｓ４４０：Ｙｅｓ）、コマンドは待機画面表示か否かを判断する（Ｓ４４２）。待機画面表示のコマンドではない場合には（Ｓ４４２：Ｎｏ）、当該コマンドに基づく処理を行い（Ｓ４５０）、Ｓ４１２へ戻る。他方、待機画面表示のコマンドが親機２０から送られた場合には（Ｓ４４２：Ｙｅｓ）、子機１２０経由ＴＶ閲覧フラグが設定されているか否かを判断し（Ｓ４４４）、子機１２０経由ＴＶ閲覧フラグが設定されている際には（Ｓ４４４：Ｙｅｓ）、テレビジョン受信機側でＧＷ通信の終了画面を表示させるためのコマンドをテレビジョン受信機側へ送信する（Ｓ４４６）。他方、子機１２０経由ＴＶ閲覧フラグが設定されていない場合には（Ｓ４４４：Ｎｏ）、待機画像データを作成して表示器１２１に表示する（Ｓ４４８）。また、コマンド受信でない場合には（Ｓ４４０：Ｎｏ）、キー入力があったか否かを判断し（Ｓ４６０）、キー入力があった場合には（Ｓ４６０：Ｙｅｓ）、キーをコマンドに変換して親機２０へ送信する（Ｓ４６２）。
【００５０】
[電子メール着信通知処理]
第１実施形態では、Ｌモードゲートウェイ１６側から電子メールの着信通知があるとテレビジョン受信機２１０に表示する。即ち、ファクシミリ装置本体２０又は子機側１２０で電子メールを受信したことを記憶し、テレビジョン受信機にて電子メールの受信を表示させる。ファクシミリ装置本体２０まで電子メールの着信の有無を確認に行くことなく、テレビジョン受信機２１０を用いて電子メールの着信を確実に知らせることができる。
【００５１】
ファクシミリ装置本体（親機）２０で行う電子メールの着信通知チェック処理について、当該処理のフローチャートである図１２を参照して説明する。
ＣＰＵ５７は、Ｌモードゲートウェイ１６からの電子メール着信通知があるまで待機している（Ｓ６０２）。ここで、着信通知があると（Ｓ６０２：Ｙｅｓ）、先ず、図２に示す表示器２１の待機画面に電子メールの着信を知らせるピクトグラムを表示する（Ｓ６０４）。これにより、ファクシミリ装置本体２０でも、電子メールの着信が分かるようにする。そして、子機１２０に電子メールの着信を知らせるコマンドを送信し（Ｓ６０６）、処理を終了する。
【００５２】
引き続き、子機１２０側で行う電子メールの着信処理について、当該処理を示す図１３のフローチャートを参照して説明する。
子機１２０のＣＰＵ１５７は、コマンドを受信するまで待機しており（Ｓ７１２）、コマンドの受信があると（Ｓ７１２：Ｙｅｓ）、当該コマンドが親機側からの電子メールの着信を知らせるコマンドか否かを判断する（Ｓ７１４）。ここで、電子メールの着信を知らせるコマンド以外である場合には（Ｓ７１４：Ｎｏ）、当該コマンドに従い処理を行う（Ｓ７３０）。
【００５３】
一方、電子メールの着信を知らせるコマンドである場合には（Ｓ７１４：Ｙｅｓ）、先ず、図４に示す子機１２０の表示器１２１の待機画面に電子メールの着信を知らせるピクトグラムを表示する（Ｓ７１６）。次に、テレビジョン受信機２１０に、電子メールの着信を表示させるための着信通知処理コマンドを送信する（Ｓ７１８）。そして、電子メールの着信を記憶するための着信通知フラグをセットし（Ｓ７２２）、着信通知処理コマンドを所定周期で送信するための着信通知チェック用タイマをスタートする（Ｓ７２２）。
【００５４】
ＣＰＵ１５７の次のサイクルタイムで、Ｓ７１２でのコマンドの受信有りの判断がＮｏとなると、着信通知ＴＶ転送フラグが設定されているか否か、即ち、テレビジョン受信機側への着信通知が済んでいないか否かを判断する（Ｓ７４０）。ここで、着信通知ＴＶ転送フラグが設定され、即ち、テレビジョン受信機側への着信通知が済んでいないときには（Ｓ７４０：Ｙｅｓ）、テレビジョン受信機２１０からの着信通知の受信報告を受けたか否かを判断する（Ｓ７４２）。ここで、着信通知の受信報告を受けた際には（Ｓ７４２：Ｙｅｓ）、着信通知ＴＶ転送フラグをリセットして処理を終了する（Ｓ７４６）。他方、テレビジョン受信機２１０からの着信通知の受信報告を受けるまでは（Ｓ７４２：Ｎｏ）、上述した着信通知処理コマンドを所定周期で送信するための着信通知チェック用タイマがタイムアップしたか否かを判断し（Ｓ７４４）、タイムアップするタイミング毎に（Ｓ７４４：Ｙｅｓ）、テレビジョン受信機２１０に、電子メールの着信を表示させるための着信通知処理コマンドを送信し（Ｓ７４８）、着信通知チェック用タイマをスタートする（Ｓ７５０）。
【００５５】
第１実施形態では、テレビジョン受信機２１０からのメール受信の指示を受け取った旨の通知を受けるまで、テレビジョン受信機にて電子メールの受信を表示させる指示を繰り返し送出する。このためテレビジョン受信機を用いて電子メールの着信を確実に知らせることができる。
【００５６】
第１実施形態の改変例に係る子機１２０側で行う電子メールの着信処理について、当該処理を示す図１４のフローチャートを参照して説明する。図１３に示す処理では、テレビジョン受信機側へ電子メールの受信を表示させる指示を繰り返し送出したが、この改変例では、テレビジョン受信機２１０が画像表示中か否かを検出し、画像表示中に電子メールの受信を表示させる指示を１回送出する。
【００５７】
子機１２０のＣＰＵ１５７は、コマンドを受信するまで待機しており（Ｓ７１２）、コマンドの受信があると（Ｓ７１２：Ｙｅｓ）、当該コマンドが親機側からの電子メールの着信を知らせるコマンドか否かを判断する（Ｓ７１４）。ここで、電子メールの着信を知らせるコマンド以外である場合には（Ｓ７１４：Ｎｏ）、当該コマンドに従い処理を行う（Ｓ７３０）。
【００５８】
一方、電子メールの着信を知らせるコマンドである場合には（Ｓ７１４：Ｙｅｓ）、先ず、図４に示す子機１２０の表示器１２１の待機画面に電子メールの着信を知らせるピクトグラムを表示する（Ｓ７１６）。そして、電子メールの着信を記憶するための着信通知フラグをセットし（Ｓ７２２）、処理を終了する。
【００５９】
ＣＰＵ１５７の次のサイクルタイムで、Ｓ７１２でのコマンドの受信有りの判断がＮｏとなると、着信通知ＴＶ転送フラグが設定されているか否かを判断する（Ｓ７４０）。ここで、着信通知ＴＶ転送フラグが設定されている時には（Ｓ７４０：Ｙｅｓ）、テレビジョン受信機２１０が画像表示中か否かを判断する（Ｓ７４２）。ここで、画像表示がなされていない場合には（Ｓ７４２：Ｎｏ）、処理を一旦終了し、テレビジョン受信機２１０で画像が表示されるまで待機する。
【００６０】
一方、テレビジョン受信機２１０で画像表示がなされている場合には（Ｓ７４２：Ｙｅｓ）、テレビジョン受信機２１０に、電子メールの着信を表示させるための着信通知処理コマンドを送信し（Ｓ７４８）、電子メールの着信を記憶するための着信通知フラグをリセットし（Ｓ７４６）、処理を終了する。
【００６１】
この改変例では、テレビジョン受信機２１０が画像表示中か否かを判断し、画像表示中と判断された際に、テレビジョン受信機２１０にて電子メールの受信を表示させる。このため、通信装置−テレビジョン受信機間で双方向通信が行えなくとも、ファクシミリ装置本体２０又は子機１２０側でテレビジョン受信機２１０が画像表示中か否かを検出できれば、テレビジョン受信機２１０を用いて電子メールの着信を確実に知らせることができる。
【００６２】
図２１は、第１実施形態の別例に係る子機の構成を示している。別例は、第１実施形態の子機と同様の構成であるが、テレビジョン受信機へテレビジョン信号を送るためのＴＶ画像出力１５４が備えられている。この別例では、親機から送られた画像ベース信号を子機側でテレビジョン信号に変換し、テレビジョン受信機にて画像表示させることができる。
【００６３】
[第２実施形態]
図１５は、第２実施形態に係るファクシミリ装置本体（親機）２０と子機１２０とテレビジョン受信機２１０との接続関係を説明するための図である。第２実施形態では、ファクシミリ装置本体（親機）２０、子機１２０、テレビジョン受信機２１０は屋内に設けられ、ファクシミリ装置本体（親機）２０と子機１２０及びテレビジョン受信機２１０とは別の部屋に配置されている。親機２０と子機１２０との間は、無線により双方向通信が行い得るように構成されている。また、テレビジョン受信機２１０には、ファクシミリ装置本体２０からケーブル２１４を介してＴＶ信号が送られるように構成されている。
【００６４】
ファクシミリ装置本体（親機）２０は、公衆電話回線１５及び図示しない交換機を介してＬモードゲートウェイ１６に接続され、Ｌモード上での情報検索が可能なようになっている。そして、子機１２０は、親機２０と無線接続され、Ｌモード上での情報の取得を指令し、親機２０は、Ｌモードゲートウェイ１６（サーバー）から取得した画像データをテレビジョン受信機２１０へ送信する。このため、子機１２０で操作することで、テレビジョン受信機２１０で所望の情報を表示させれる。
【００６５】
第２実施形態では、子機１２０側での操作でテレビジョン受信機２１０での表示画像を遠隔操作ができるので、好きな場所で子機１２０を操作することが可能となり、配置場所の良くない親機で操作するのと比べて情報検索の操作が行い易くなる。親機２０を介してＬモードゲートウェイ１６（サーバー）から取得した情報をテレビジョン受信機２１０で表示するため、大画面、カラーで快適に検索情報を閲覧することが可能になる。更に、ファクシミリ装置本体２０からＴＶ信号をテレビジョン受信機２１０に送るため、汎用のテレビジョン受信機２１０にてＬモードで検索した画像情報を表示することができる。
【００６６】
この第２実施形態のファクシミリ装置本体２０の電気的構成について、図１６のブロック図を参照して説明する。
この第２実施形態のファクシミリ装置本体２０の構成は、図５を参照して上述した第１実施形態と同様である。ただし、第２実施形態のファクシミリ装置本体２０では、テレビジョン受像器２１０へＴＶ信号を出力するためのＴＶ画像出力５４が備えられている。
【００６７】
［親機２０のＣＰＵ５７が実行する主な制御処理］
引き続き、第２実施形態の親機２０側での処理について図を参照して説明する。
図１７、図１８は、第２実施形態においてファクシミリ装置本体（親機）２０のＣＰＵ５７が実行する主な制御処理の流れを示すフローチャートである。
【００６８】
ＣＰＵ５７は、まず、Ｌモードゲートウェイ１６との通信を開始するキー（Ｌボタン）２２ｂが操作されたかを判断し（Ｓ１２）、Ｌボタン２２ｂが操作された際には（Ｓ１２：Ｙｅｓ）、親機でのＬモードゲートウェイ１６との通信、即ち、簡易型のインターネット検索を行うための親機用ＧＷ通信処理を行う（Ｓ１００）。一方、Ｌボタン２２ｂが操作されない限り（Ｓ１２：Ｎｏ）、子機１２０が操作され子機側からからＬモードゲートウェイ通信を開始させるＧＷ通信開始子機コマンドが送信されたか否かを判断する（Ｓ１４）。ここで、ＧＷ通信開始子機コマンドを受信すると（Ｓ１４：Ｙｅｓ）、子機側で検索画像を表示するか、テレビジョン受信機側で検索画像を表示するかを選択するためのＴＶ閲覧フラグが設定されているか否かを判断する（Ｓ１６）。子機１２０側での検索画像表示が選択されており、ＴＶ閲覧フラグが設定されていない場合には（Ｓ１６：Ｎｏ）、子機１２０で検索画像を表示するための子機用ＧＷ通信処理を行う（Ｓ２００）。テレビジョン受信機側での検索画像表示が選択されており、ＴＶ閲覧フラグが設定されている場合には（Ｓ１６：Ｙｅｓ）、テレビジョン受信機２１０で検索画像を表示するためのＴＶ用ＧＷ通信処理を行う（Ｓ３００）。そして、ＧＷ通信開始子機コマンドを受信しない限り（Ｓ１４：Ｎｏ）、処理を終了する。
【００６９】
図１７中の上記Ｓ１００での親機用ＧＷ通信処理、及び、Ｓ２００での子機用ＧＷ通信処理は、図８、図９を参照して上述した第１実施形態と同様であるため説明を省略し、Ｓ３００でのＴＶＧＷ通信処理について、当該サブルーチンを示す図１８を参照して説明する。
先ず、コマンドに対応する画像データを取得を完了したか否かを判断する（Ｓ３１０）。画像データの取得を完了すると（Ｓ３１０：Ｙｅｓ）、画像データを構成するＨＴＭＬファイルを解釈し、新画像データを作成し（Ｓ３１２）、作成した新画像データをテレビジョン受信機２１０へ送信する（Ｓ３１３）。
【００７０】
そして、子機１２０のキー入力に対応するコマンドを受信するまで待機する（Ｓ３１４）。コマンドが受信されれば（Ｓ３１４：Ｙｅｓ）、受信コマンドを対ＧＷ通信処理用のコマンドへ変換してから（Ｓ３１６）、コマンドはＬモードゲートウェイ（ＧＷ）に送付するものか否かを判断する（Ｓ３１８）。ここで、コマンドがＧＷへ送付するものであれば（Ｓ３１８：Ｙｅｓ）、入力されたコマンドをＧＷへ送信する（Ｓ３２０）。
【００７１】
一方、コマンドがＧＷへ送付するものでなければ（Ｓ３１８：Ｎｏ）、コマンドは、ＧＷ通信の終了、即ち、簡易型のインターネット検索の終了を指示するものか否かを判断する（Ｓ３３０）。ここで、ＧＷ通信の終了を指示するものでない場合には（Ｓ３３０：Ｎｏ）、コマンドに応じた画像データを作成し、テレビジョン受信機２１０へ送信し（Ｓ３３２）、コマンドに応じた処理を行う（Ｓ３３４）。そして、Ｓ３１０に戻り処理を続ける。
【００７２】
一方、ＧＷ通信の終了が指示された場合には（Ｓ３３０：Ｙｅｓ）、Ｌモードゲートウェイ１６との回線を閉じる等のＧＷ通信終了の処理を行った後（Ｓ３４０）、子機１２０の表示器１２１での画像表示を待機状態表示にする画像をテレビジョン受信機へ送信してから（Ｓ３４２）、全ての処理を終了する。
【００７３】
［子機１２０のＣＰＵ５７が実行する主な制御処理］
図１９は、第２実施形態においてファクシミリ装置（子機）１２０のＣＰＵ１５７が実行する主な制御処理の流れを示すフローチャートである。
ＣＰＵ１５７は、キー入力されるまで待機している（Ｓ４１２）。ここで、キー入力があると（Ｓ４１２：Ｙｅｓ）、Ｌモードゲートウェイ通信を開始するためのキー、即ち、簡易型のインターネット検索を行うためのキーが入力されたか否かを判断し（Ｓ４１４）、開始キーでない場合には（Ｓ４１４：Ｎｏ）、Ｌモードゲートウェイ通信以外のキーで入力された処理を行う（Ｓ４２０）。
【００７４】
他方、開始キーが操作された場合には（Ｓ４１４：Ｙｅｓ）、引き続き操作されたキーが、ＴＶにて表示を行わしめるためのＴＶモードＧＷ通信開始キーか否か判断する（Ｓ４１６）。ＴＶにて表示を行わしめるためのＴＶモードＧＷ通信開始キーが操作された場合には（Ｓ４１６：Ｙｅｓ）、テレビジョン受信機側での表示を設定するのＴＶ閲覧フラグを設定する（Ｓ４２２）。他方、ＴＶモードＧＷ通信開始キーが操作されない場合には（Ｓ４１６：Ｎｏ）、テレビジョン受信機側での表示を設定するＴＶ閲覧フラグをリセットする（Ｓ４２４）。
【００７５】
引き続き、親機２０へＬモードゲートウェイ通信を開始するコマンドを送信する（Ｓ４３０）。これに対応して、親機側から上述したように、画像データを構成するＨＴＭＬファイルを解釈し、新画像データを作成して送って来た際には（親機からテキストベースのデータ受信のＳ４３２：Ｙｅｓ）、ＴＶ閲覧フラグが設定されているか否かを判断し（Ｓ４３４）、親機２０から受信したテキストベースのデータに基づく画像を図４に示す表示器１２１に表示する（Ｓ４３８）。
【００７６】
一方、親機２０からテキストベースのデータが送られないときは（Ｓ４３２：Ｎｏ）、親機２０からのコマンドを受信したか否かを判断し（Ｓ４４０）、コマンドが受信された際には（Ｓ４４０：Ｙｅｓ）、コマンドは待機画面表示か否かを判断する（Ｓ４４２）。待機画面表示のコマンドではない場合には（Ｓ４４２：Ｎｏ）、当該コマンドに基づく処理を行い（Ｓ４５０）、Ｓ４１０へ戻る。他方、待機画面表示のコマンドが親機２０から送られた場合には（Ｓ４４２：Ｙｅｓ）、待機画像データを作成して表示器１２１に表示する（Ｓ４４８）。また、コマンド受信でない場合には（Ｓ４４０：Ｎｏ）、キー入力があったか否かを判断し（Ｓ４６０）、キー入力があった場合には（Ｓ４６０：Ｙｅｓ）、キーをコマンドに変換して親機２０へ送信する（Ｓ４６２）。
【００７７】
[電子メール着信通知処理]
第２実施形態では、Ｌモードゲートウェイ１６側から電子メールの着信通知があるとテレビジョン受信機２１０に表示する。通信装置まで電子メールの着信の有無を確認に行かせる必要がなくなり、テレビジョン受信機２１０を用いて電子メールの着信を確実に知らせることができる。
【００７８】
ファクシミリ装置本体（親機）２０で行う電子メールの着信通知処理について、当該処理のフローチャートである図２０を参照して説明する。
ＣＰＵ５７は、Ｌモードゲートウェイ１６からの電子メール着信通知があるまで待機している（Ｓ６０２）。ここで、着信通知があると（Ｓ６０２：Ｙｅｓ）、先ず、図２に示す表示器２１の待機画面に電子メールの着信を知らせるピクトグラムを表示する（Ｓ６０４）。これにより、ファクシミリ装置本体２０でも、電子メールの着信が分かるようにする。そして、テレビジョン受信機２１０へ電子メールの着信を表示させる画像データを送信し（Ｓ６０６）、処理を終了する。
【００７９】
なお、上記実施形態は、Ｌモード対応の各種通信機器１１の一例としてＬモード対応ファクシミリに具体化したものである。
しかし、Ｌモード対応の各種通信機器１１であれば、どのような通信機器（例えば、ＮＴＴ社が提供するｉモード、インターネット網を利用した各種通信システム、インターネット網以外の各種情報通信ネットワーク網（各種ＬＡＮ、バス構成のＬＡＮによるイーサネットなど）を利用する通信装置に適用してもよい。
そして、当該通信装置は、どのようなものでもよい（例えば、電話機、ファクシミリ、各種情報機器（携帯端末、モデムを備えたパーソナルコンピュータなど））。
【００８０】
尚、上述した［特許請求の範囲］および［課題を解決するための手段および発明の効果］に記載した構成要素と、後述する［発明の実施の形態］に記載した構成部材との対応関係は以下のようになっている。
請求項１でのデータ要求手段は図１１のＳ４６２の処理に対応し、送信手段は、図１０のＳ３１３での処理に対応する。請求項２での信号変換手段は、図１６中のＴＶ画像出力５４に対応する。請求項３でのメール受信記憶手段は、図１３のＳ７２０の処理に対応し、メール受信表示手段は、図１３のＳ７１８の処理に対応する。請求項４の通信手段は図５のＲＦユニット１５３に対応し、メール受信記憶手段は図１３のＳ７２０の処理に対応し、メール表示指示手段は図１３のＳ７１８の処理に対応し、受信通知判断手段は図１３のＳ７４２での処理に対応し、メール表示再指示手段は図１３のＳ７４８の処理に対応する。請求項５でのメール受信記憶手段は図１４のＳ７２０の処理に対応し、判断手段は図１４のＳ７４２の処理に対応し、メール受信表示手段は図１４でのＳ７４８の処理に対応する。
「プログラム」は、ＣＰＵ５７又はＣＰＵ１５７が実行する図７〜図１４、図１７〜図２０に示すフローチャートの処理に該当する。
「記録媒体」は、ＲＯＭ５０、ＲＯＭ１５１に該当する。
【図面の簡単な説明】
【図１】Ｌモードにおける通信システムの概略構成を示すブロック図。
【図２】本発明を具体化した一実施形態におけるＬモード対応ファクシミリの本体の外観を示す平面図。
【図３】Ｌモード対応ファクシミリの本体の電気的構成を示すブロック回路図。
【図４】第１実施形態におけるＬモード対応ファクシミリの子機の外観を示す平面図。
【図５】第１実施形態に係るＬモード対応ファクシミリの子機の電気的構成を示すブロック回路図。
【図６】第１実施形態に係るＬモード対応ファクシミリの親機と子機とテレビジョン受信機との接続関係を示す説明図。
【図７】第１実施形態に係る本体に備えられたＣＰＵが実行する主な制御処理の流れを示すフローチャート。
【図８】図７中の親機用ＧＷ通信処理のサブルーチンを示すフローチャート。
【図９】図７中の子機用ＧＷ通信処理のサブルーチンを示すフローチャート。
【図１０】図７中の子機経由ＴＶ用ＧＷ通信処理のサブルーチンを示すフローチャート。
【図１１】第１実施形態に係る子機に備えられたＣＰＵが実行する主な制御処理の流れを示すフローチャート。
【図１２】第１実施形態に係る本体に備えられたＣＰＵが実行するメール着信通知チェック処理を示すフローチャート。
【図１３】第１実施形態に係る子機に備えられたＣＰＵが実行するメール着信通知チェック処理を示すフローチャート。
【図１４】第１実施形態の改変例に係る子機に備えられたＣＰＵが実行するメール着信通知処理を示すフローチャート。
【図１５】第２実施形態に係るＬモード対応ファクシミリの親機と子機とテレビジョン受信機との接続関係を示す説明図。
【図１６】第２実施形態に係るＬモード対応ファクシミリ装置本体の電気的構成を示すブロック回路図。
【図１７】第２実施形態に係る本体に備えられたＣＰＵが実行する主な制御処理の流れを示すフローチャート。
【図１８】図１７中の子機制御ＴＶ用ＧＷ通信処理のサブルーチンを示すフローチャート。
【図１９】第２実施形態に係る子機に備えられたＣＰＵが実行する主な制御処理の流れを示すフローチャート。
【図２０】第２実施形態に係る本体に備えられたＣＰＵが実行するメール着信通知処理を示すフローチャート。
【図２１】第１実施形態の別例に係るＬモード対応ファクシミリの子機の電気的構成を示すブロック回路図。
【符号の説明】
１０... Ｌモードにおける通信システム
１１... Ｌモード対応の各種通信機器
１５... 公衆電話回線
１６... Ｌモードゲートウェイ
２０... Ｌモード対応ファクシミリの本体（親機）
２１... 表示器
２２... ボタン類
４１... パネルＧＡ
４２... モータ
４３... サーマルヘッド
４６... ＡＦＥ
５０... ＲＯＭ
５１... ＲＡＭ
５２... ＥＥＰＲＯＭ
５４... クロスポイントスイッチ
５６... ＮＣＵ
５７... ＣＰＵ
５８... 記録回路
６０... ＦＡＸ・データモデム
１２０... ファクシミリの子機
１２１... 表示器
１２２... ボタン類
１５０... ＲＯＭ
１５１... ＲＡＭ
１５２... ＥＥＰＲＯＭ
１５７... ＣＰＵ
【図１】
0003620491.tif 000002
【図２】
0003620491.tif 000003
【図３】
0003620491.tif 000004
【図４】
0003620491.tif 000005
【図５】
0003620491.tif 000006
【図６】
0003620491.tif 000007
【図７】
0003620491.tif 000008
【図８】
0003620491.tif 000009
【図９】
0003620491.tif 000010
【図１０】
0003620491.tif 000011
【図１１】
0003620491.tif 000012
【図１２】
0003620491.tif 000013
【図１３】
0003620491.tif 000014
【図１４】
0003620491.tif 000015
【図１５】
0003620491.tif 000016
【図１６】
0003620491.tif 000017
【図１７】
0003620491.tif 000018
【図１８】
0003620491.tif 000019
【図１９】
0003620491.tif 000020
【図２０】
0003620491.tif 000021
【図２１】
0003620491.tif 000022